(57)【特許請求の範囲】
【請求項１】
細長い板状体で、頂部に膨出部を形成した係合突部を先端に、基端に支軸を夫々有し、回転型の障子又は扉に取り付けられる中空の収納ケースに対し、収納ケースの前面のフロント板の開口を通じて進退及び傾動可能に、かつ回動可能に装着され、後退する方向に付勢されたガードアームと組み合わされてガードアーム装置を構成するものであって、障子枠又は扉枠に取り付けられ、ガードアーム装置の作動時その係合突部と係合する嵌め孔、及びこれに連設された案内長孔からなる係合長孔を開口させた箱状体の内側に、嵌め孔及び嵌め孔と案内長孔との接続部に掛けて、ガードアームから見て断面台形に折曲された制御板を設け、その台形の底辺の長さを嵌め孔の幅程度に、頂辺の長さをガードアームの係合突部の膨出部の径程度に設定し、以て、ガードアームの支軸部の摩擦のため上記膨出部の中心軸が嵌め孔の中心とずれた場合でも、制御板の斜面と膨出部の外周縁との摺接により上記ずれを修正するようにしたことを特徴とするガードアーム装置のストライク。
【発明の詳細な説明】
【０００１】
【発明の属する技術分野】
この発明は、窓の障子や扉を通気や郵便物の受け渡しの為に半開きとするガードアーム装置に係り、特に、扉や障子を閉鎖するとき、ガードアームを収納ケースに確実に復帰させることができるガードアーム装置に関する。
【０００２】
【従来の技術】
ガードアーム装置は従来種々のものが提案されまた実用されているが、図１乃至図４に示すものはガードアーム装置の非作動時ガードアームが自動的に収納ケース内に復帰するので使い勝手がよい。
【０００３】
図示の実施例におけるガードアーム装置は回転窓に適用されたもので、先ずその構造を簡単に説明する。
【０００４】
このガードアーム装置は、図１及び図２に示すように、窓ガラス１を有する回転窓の障子２の自由側端縁部と障子枠３との間に装着され、障子２側に設けられた収納ケース４と、障子枠３側に設けられたストライク５とを有している。
【０００５】
回転型の障子２の自由側端縁又は障子枠にフランジ部においてねじ６等で取り付けられる箱状をなす細長い中空の収納ケース４は、フロント板７に開口８を有し、ガードアーム装置の非作動時にはその開口８を通じガードアーム９が収納される。
【０００６】
符号１１は収納ケース４内に傾斜させて設けた仕切り板で、前方のガードアーム収納部と後方の空間部とを仕切っている。その仕切り板１１の中央部分には後述の作用部材１２を装着する為の逃がし孔１３が設けられている。
【０００７】
ガードアーム９は細長い板状をなし、その先端に前方に向け固設されたフランジ付の係合突部１４を有し、基端には後方に向け固設された支軸１５を有する。そして、該ガードアーム９は収納ケース４に対し支軸１５において進退及び傾動可能かつ回動可能に装着されている。
【０００８】
なお、図１で符号１６はガードアーム９の支軸１５を進退及び傾動可能かつ回動可能に支持するための支持板で、収納ケース４に対して固定してある。
【０００９】
更に、前記のガードアーム９は支軸１５に巻装された圧縮コイルばね等の付勢手段１７により後退する方向に付勢させてあり、図示例の圧縮コイルばね１７は、その長さ方向については、前記の支持板１６と、支軸１５の後部に固設され、この発明に関係が無いのでその機能の説明を省略するカム片１８との間に挟持弾設させてある。
【００１０】
ガードアーム９の係合突部１４をガードアームの作動時に係合案内させるストライク５は、図２及び図３に示すように箱状の部材であって、障子枠３の所定位置にフランジ部においてねじ６等で固定されるものである。
【００１１】
図示例の如く例えば浅い箱形に形成されるストライク５の前面部には、図３及び図５に明示するように、ガードアーム９における係合突部１４の先端のフランジ状の膨出部１４ａの径よりも大径の嵌め孔１９及びそれに連続する幅狭の案内長孔２１から成る係合長孔２２を備えている。
【００１２】
上記のように構成されたガードアーム装置は、室内側の操作摘み２３を手指で下降させると、図４に示すように、その内端の脚片２４、２４に挟持された前記作用部材の連係片２５が下降し、突片２６がガードアーム９の先端部を付勢手段１７に抗して収納ケース４外に突出させる。
【００１３】
すると、図１に示すように、係合突部１４がストライクの嵌め孔１９内に嵌まり込み、そこで障子２が開放されると、図５に鎖線で示すように、ガードアーム９はその係合突部１４がストライク５の案内長孔２１に案内されることにより支軸１５を中心として回動する一方で、ガードアーム９の長さに応じて障子２の開放角度を制限する。
【００１４】
一方、障子を閉め、ガードアーム９とストライク５とを障子の見込み方向において整合させてから操作摘み２３（図２参照）を押上げると、ガードアーム９は付勢手段１７の弾力により自動的に収納ケース４内に引込む。
【００１５】
【発明が解決しようとする課題】
上記のように構成されたガードアーム装置は、勿論所期の機能を発揮して実用されているが、障子や扉の閉鎖時、ガードアームの支軸部の摩擦の為、ガードアームがストライクに対し元の角度位置に戻らない場合が考えられる。
【００１６】
すなわち、図５に示す開放時から障子を閉鎖するとき、固定のストライク５に対し収納ケース４が左方に移動する。
【００１７】
この場合、係合突部が案内長孔２１内にあるときには係合突部１４が案内長孔２１の開口端縁と摺接するが、係合突部１４が嵌め孔１９内に進入すると、ガードアームの支軸１５における摩擦の為、ガードアーム９が反時計方向に振れ残り、膨出部１４ａの外周縁がストライク５の側板内面に摺接しつつ下降する。
【００１８】
その結果、収納ケース４とストライク５とが幅方向において整合しても、係合突部の膨出部１４ａが嵌め孔１９の開口端縁に裏側から係合して引っ掛かり、ガードアーム９が収納ケース４内に戻らない場合も考えられる。
【００１９】
この発明は上記した不都合を解消し、障子や扉の閉鎖時、ガードアームの先端の係合突部１４がストライク５に引っ掛からず、ガードアーム９が確実に収納ケース４内に戻るガードアーム装置のストライクを提供することを目的としている。
【００２０】
【課題を解決するための手段】
上記の目的を達成するため、この発明は、ストライクの内側に、嵌め孔及び嵌め孔と案内長孔との接続部に掛けて、ガードアームから見て断面台形に折曲された制御板を設け、その台形の底辺の長さを嵌め孔の幅程度に、頂辺の長さをガードアームの係合突部の膨出部の径程度に設定し、以て、ガードアームの支軸部の摩擦のため上記膨出部の中心軸が嵌め孔の中心とずれた場合でも、制御板の斜面と膨出部の外周縁との摺接により上記ずれを修正するようにしたことを特徴とする。
【００２１】
【発明の実施の形態】
以下図６及び図７を参照してこの発明について説明する。
これらの図において符号２７は制御板を示し、この制御板３は、薄い板材をガードアーム９側から見て断面台形に折曲した部材で、嵌め孔１９及び嵌め孔１９と案内長孔の接続部に掛けて設けられている。
【００２２】
制御板３をストライク５に結合するには、例えばストライクの係合長孔を開口させた全面板裏面にスポット溶接或いは接着剤によりこれらを一体に結合する。
【００２３】
或いは、図５に示すように案内長孔２１に関し嵌め孔１９が下方になるようにストライク５を取付ける場合には、ストライク５をねじ止めする前に制御板２７を単にストライク５内に落とし込むだけでよい。
【００２４】
上記制御板２７の断面台形の底辺、すなわち、ガードアーム９側から見て樋状に形成された制御板の開口端縁の幅は、図７に示すように、嵌め孔１９の幅程度に設定されている。
【００２５】
また、制御板２７の断面台形の頂辺、すなわち、ガードアーム９側から見て樋状に形成された制御板２７の底板の幅は、ガードアーム先端の係合突部の膨出部１４ａの径よりやや大きく設定されている。
【００２６】
上記のように構成されたこの発明によるガードアーム装置のストライクは、係合突部１４が案内長孔２１内にあるときには、その膨出部１４ａが図７のＡ部に入りこむので、制御板２７と係合突部１４とは相互に干渉しない。
【００２７】
また、図７に示すように、嵌め孔１９の開口端縁に制御板２７の斜面が連接しているので、係合突部１４が案内長孔２１と嵌め孔１９との接続部を経て嵌め孔１９内に進入した後は、先ず膨出部１４ａ（図１参照）の外周縁が制御板２７の斜面に摺接し、以降この斜面に阻まれて従来のストライク（図５参照）のように膨出部１４ａが嵌め孔１９の開口端縁の裏側に潜り込まない。
【００２８】
更にまた、障子や扉が完全に閉鎖されると、それまで制御板２７の底板から浮き上がっていた係合突部１４が底板方向に押込まれるので（図１参照）、この押込まれる過程において膨出部１４ａの外周縁と制御板２７の斜面との間に生じる楔作用により、係合突部１４はストライクの幅方向の中心に整合する。
【００２９】
【発明の効果】
以上の説明から明らかなように、この発明は、ストライクの内側に、嵌め孔及び嵌め孔と案内長孔との接続部に掛けて、ガードアームから見て断面台形に折曲された制御板を設け、その台形の底辺の長さを嵌め孔の幅程度に、頂辺の長さをガードアームの係合突部の膨出部の径程度に設定したので、扉や障子を閉鎖するとき係合突部の膨出部が嵌め孔の開口端縁の裏側に入りこまない。
【００３０】
また、制御板の斜面と膨出部の外周縁との間に生じる楔作用により、係合突部が自動的にストライクの幅方向の中心に整合し、所謂自動調芯が行われる、等種々の効果を奏する。
【図面の簡単な説明】
【図１】窓用のガードアーム装置の実施例を常態（ガードアームの非作動状態）で示す部分縦断側面図。
【図２】その平面図。
【図３】図１の実施例から取り外したストライクを示す図で、（Ａ）は正面図、（Ｂ）は側面図である。
【図４】図１の実施例をガードアームの作動状態で示す縦断部分側面図。
【図５】そのガードアーム作動状態におけるガードアームとストライクとの係合態様を障子を開放させて示す説明図で、フレーム及びガードアームは正面から見て表わしてあり、ストライクは背面から見て表わしてある。
【図６】この発明の一実施例によるガードアーム装置のストライクの正面図。
【図７】図６のＶＩＩ−ＶＩＩ線による横断面図。
【符号の説明】
２  障子
３  障子枠
４  収納ケース
５  ストライク
１９  嵌め孔
２１  案内長孔
２２  係合長孔
２７  制御板
【図１】
0004101928.tif 000002
【図２】
0004101928.tif 000003
【図３】
0004101928.tif 000004
【図４】
0004101928.tif 000005
【図５】
0004101928.tif 000006
【図６】
0004101928.tif 000007
【図７】
0004101928.tif 000008